(57)【要約】【課題】寒冷地に設置される操作装置２０を備えた給湯装置およびその操作装置に関し、操作装置２０を低温環境下においても正常に動作させ、ひいてはその操作装置によって操作される給湯装置を正常に動作させることができる。【解決手段】給湯装置本体１０と操作装置２０とからなり、給湯装置本体１０は、周囲温度を検出する本体側温度検出手段１６，１７を有し、操作装置２０は、最低動作保証温度の高い保護素子２４ならびに発熱により保護素子２４を保護する素子保護手段２６を有し、本体側温度検出手段１６，１７の検出値に基づいて素子保護手段２６の電源制御を行うものである。【選択図】  図２
2004294007.tif 000002
【特許請求の範囲】
【請求項１】
給湯装置本体と操作装置とからなる給湯装置であって、
前記給湯装置本体は、周囲温度を検出する本体側温度検出手段を有し、
前記操作装置は、発熱により部品特性を安定化させる環境安定化手段を有し、前記本体側温度検出手段の検出値に基づいて前記環境安定化手段の電源制御を行う、ことを特徴とする給湯装置。
【請求項２】
給湯装置本体と操作装置とからなる給湯装置であって、
前記給湯装置本体は、周囲温度を検出する本体側温度検出手段を有し、
前記操作装置は、発熱により素子を保護する素子保護手段を有し、
前記本体側温度検出手段の検出値に基づいて前記素子保護手段の電源制御を行う、ことを特徴とする給湯装置。
【請求項３】
請求項２に記載の給湯装置において、
前記給湯装置本体は、当該給湯装置本体を制御するとともに、当該給湯装置本体に関する情報ならびに前記本体側温度検出手段の検出値に基づく情報を前記操作装置に伝送する制御手段を備えた、ことを特徴とする給湯装置。
【請求項４】
請求項２または請求項３に記載の給湯装置において、
前記本体側温度検出手段が外気温度を検出するものである、ことを特徴とする給湯装置。
【請求項５】
請求項２または請求項３に記載の給湯装置において、
前記本体側温度検出手段が、前記給湯装置本体における温水配管の凍結防止運転のための雰囲気温度を検出するものである、ことを特徴とする給湯装置。
【請求項６】
給湯装置本体と操作装置とからなる給湯装置であって、
前記操作装置は、雰囲気温度を検出する操作側温度検出手段ならびに発熱により素子を保護する素子保護手段を有し、
前記操作側温度検出手段の検出値に基づいて前記素子保護手段の電源制御を行う、ことを特徴とする給湯装置。
【請求項７】
請求項２ないし請求項６に記載の給湯装置において、
前記操作装置は最低動作保証温度の高い保護素子を有し、前記素子保護手段が発熱により前記保護素子を保護する、ことを特徴とする給湯装置。
【請求項８】
請求項７に記載の給湯装置において、
前記素子保護手段が前記保護素子の近傍に配置されている、ことを特徴とする給湯装置。
【請求項９】
請求項７に記載の給湯装置において、
前記保護素子が発振子である、ことを特徴とする給湯装置。
【請求項１０】
請求項２ないし請求項７に記載の給湯装置において、
前記素子保護手段が前記給湯装置本体の運転状態を表示する表示手段であって、前記電源制御が前記表示手段の電源制御である、ことを特徴とする給湯装置。
【請求項１１】
請求項１０に記載の給湯装置において、
前記表示手段が蛍光表示管である、ことを特徴とする給湯装置。
【請求項１２】
請求項２ないし請求項７に記載の給湯装置において、
前記素子保護手段が通電により発熱する発熱素子であって、前記電源制御が前記発熱素子の電源制御である、ことを特徴とする給湯装置。
【請求項１３】
請求項１ないし請求項１２のいずれかに記載の給湯装置の操作装置。
【発明の詳細な説明】
【０００１】
【発明の属する技術分野】
本発明は、寒冷地に設置される操作装置を備えた給湯装置およびその操作装置に関する。
【０００２】
【従来の技術】
従来、給湯装置は、給湯装置本体と、それを操作する操作装置（リモコン）とから構成されている。
【０００３】
給湯装置には、操作装置が給湯装置本体の筐体表面に取付けられる一体タイプや、操作装置が給湯装置本体とは別に設けられる別体タイプがある。
【０００４】
一体タイプの例として、特許文献１に記載の給湯装置が挙げられる。また、別体タイプの例として、特許文献２に記載のように、給湯装置本体に対して操作装置がリモコンコードにて接続された給湯装置が挙げられる。
【０００５】
【特許文献１】
特開平６−３１３６２５号公報
【特許文献２】
特開平６−１１７６３３号公報
【０００６】
【発明が解決しようとする課題】
一般的に、給湯装置本体は屋外に、操作装置は屋内に設置されたり、あるいは、給湯装置本体ならびに操作装置が共に屋内に設置されている。
【０００７】
ところが、操作装置を寒冷地の屋外に設置したいという要望があり、低温環境下における操作装置の動作安定化が新たな課題となっている。
【０００８】
すなわち、操作装置には、予約運転等のために、時計データ生成用の発振子を内蔵したものがある。この時計データ生成用のような発振子は最低動作保証温度が比較的高く、低温環境下においては、発振子の動作が不安定になり、ひいては給湯装置が正常に動作しなくなるという問題があった。
【０００９】
このため、寒冷地において、屋外に設置される給湯装置本体に操作装置を取付けるタイプの給湯装置はなかった。
【００１０】
そこで、給湯装置本体と操作装置が別体のタイプを用い、給湯装置本体は屋外に設置しても、操作装置は屋内に設置することで動作の安定化を図ることも考えられるが、別体タイプの場合、給湯装置本体を屋外に設置する工事、操作装置を屋内に設置する工事、さらに給湯装置本体と操作装置を結ぶ配線工事などが必要となり、設置作業に手間がかかるという新たな問題が生じる。
【００１１】
そこで、本発明は、給湯装置本体と操作装置が一体タイプの給湯装置を、寒冷地の屋外に設置する場合のように、操作装置を低温環境下に設けても、給湯装置を正常に動作させることを目的とする。
【００１２】
【課題を解決するための手段】
本発明の給湯装置は、給湯装置本体と操作装置とからなり、前記給湯装置本体は、周囲温度を検出する本体側温度検出手段を有し、前記操作装置は、発熱により部品特性を安定化させる環境安定化手段を有し、前記本体側温度検出手段の検出値に基づいて前記環境安定化手段の電源制御を行うものである。
【００１３】
具体的には、給湯装置本体と操作装置とからなり、前記給湯装置本体は、周囲温度を検出する本体側温度検出手段を有し、前記操作装置は、発熱により素子を保護する素子保護手段を有し、前記本体側温度検出手段の検出値に基づいて前記素子保護手段の電源制御を行うものである。
【００１４】
なお、前記操作装置は最低動作保証温度の高い保護素子を有し、前記素子保護手段が発熱により前記保護素子を保護するものであってもよい。
【００１５】
本発明の給湯装置によると、本体側温度検出手段による周囲温度の検出値に基づいて、素子保護手段の電源制御を行うことにより、低温時に素子保護手段を発熱させることで、操作装置の制御基板に実装された温度特性を持つ半導体などの素子を低温環境下から保護でき、操作装置の動作を安定に保つことができる。
【００１６】
また、操作装置が、最低動作保証温度の高い保護素子を有している場合、素子保護手段の発熱により保護素子を低温環境下においても正常に動作させることができる。
【００１７】
さらに、温度特性を有する素子を低温環境下においても安定的に動作させるための手段を、特別な電気ヒーターなどを用いることなく、給湯装置およびその操作装置が本来備えている構成だけで安価に実現できる。
【００１８】
給湯装置の具体例として、ガスや石油を燃料とした燃焼熱を熱源とする給湯器、電気温水器、二酸化炭素などを熱媒とするヒートポンプ給湯器などが挙げられる。また、機能面からみた給湯装置の具体例として、一般給湯機能、風呂注湯機能、風呂追焚機能、温水暖房機能などのうち少なくとも１つの機能を備えたものが挙げられる。さらに、温水暖房熱源機などの暖房機も含まれる。
【００１９】
温度検出手段として、給湯装置本体に備える外気温サーミスタ、入水サーミスタ、出湯サーミスタ、缶体サーミスタ、凍結防止運転用の雰囲気サーミスタなどが挙げられる。
【００２０】
【発明の実施の形態】
本発明の一実施の形態について、図１ないし図４を用いて説明する。
【００２１】
図１は給湯装置の外観斜視図、図２は給湯装置のブロック図、図３は給湯装置の温度検出回路図、図４は素子保護動作のフローチャートを示している。
【００２２】
本実施の形態の給湯装置は、寒冷地に設置されるものであり、例えば、道路の融雪装置（ロードヒーティング）の温水暖房熱源機として機能する。当該温水暖房熱源機は、操作装置における手動操作による手動運転モードのほか、降雪検知センサによる降雪検知時に運転を行う自動運転モード、設定した予約時刻に運転を行う予約運転モードを備える。
【００２３】
図１において、１０は給湯装置本体、２０は給湯装置本体１０の筐体表面に取付けられ給湯装置本体１０を操作するための操作装置であり、本実施の形態の給湯装置は給湯装置本体１０と操作装置２０が一体となったタイプである。
【００２４】
図２に、給湯装置本体１０ならびに操作装置２０における本発明の要部の構成を示す。なお、給湯装置本体１０と操作装置２０は、リモコンコード（電源線と通信線とを兼ねた電源重畳通信の２芯コード）３０にて接続されており、後述する給湯装置本体１０ならびに操作装置２０の各通信インターフェース１３，２３を介して通信を行う。
【００２５】
給湯装置本体１０は、マイクロコンピュータ（マイコン）１２を中心に通信インターフェース１３等を搭載した制御基板１１、１００Ｖの交流電源１５に接続され制御基板１１に１５Ｖの直流電圧に変換して供給するＡＣ／ＤＣコンバータ（電源基板）１４、各々本体側温度検出手段となる外気温サーミスタ１６，雰囲気サーミスタ１７等にて構成されている。
【００２６】
なお、一般の給湯装置の場合、雰囲気サーミスタ１７を備えているが、ロードヒーティングなどの融雪用温水暖房熱源機の場合は不凍液を熱媒として用いており、凍結予防運転を行う必要がなく、よって雰囲気サーミスタを備えていない。すなわち、雰囲気サーミスタ１７を備えるのであれば、図２のように配置することになる。
【００２７】
マイコン１２は、給湯装置本体１０を制御するとともに、給湯装置本体１０に関する情報ならびに本体側温度検出手段１６，１７の検出値に基づく情報を操作装置２０に伝送する制御手段を構成する。
【００２８】
外気温サーミスタ１６は、給湯装置本体１０の筐体外部の所定位置に設けられ、外気温度を逐一検出し、当該検出値はマイコン１２に入力される。また、雰囲気サーミスタ１７（一般の給湯装置の場合であって、凍結予防運転を行う必要があるときに設置される）は、温水配管の凍結防止運転のために、給湯装置本体１０内部の雰囲気温度を逐一検出し、当該検出値はマイコン１２に入力される。なお、凍結防止運転とは、例えば、配管に取付けられた電気ヒータへの通電を行ったり、循環ポンプを備えた給湯装置の場合、温水配管内の循環運転を行ったりすることなどである。マイコン１２に入力された各サーミスタ１６，１７の検出値に基づいて外気温度データが演算され、あるいは各サーミスタ１６，１７の検出値のいずれかを選択して外気温度データとし、当該温度データはリモコンコード３０を介して操作装置２０に送信される。なお、操作装置２０に送信される情報は、温度データそのものであってもよいし、あるいは給湯装置本体１０が検出した温度に基づいて、操作装置２０に電源制御指示を出す指示信号であってもよい。
【００２９】
操作装置２０は、マイコン２２を中心に通信インターフェース２３、各々マイコン２２に接続された時計用の発振子２４，操作部２５，表示手段となる蛍光表示管２６，蛍光表示管２６に電力を供給する表示部電源２７等を搭載した制御基板２１にて構成されている。
【００３０】
発振子２４は、最低動作保証温度の高い保護素子であり、予約運転等のための時計データを生成する。
【００３１】
操作部２５は、操作装置２０の操作パネル表面に備えた不図示のボタン（このボタン自体は制御基板２１に実装されていない）が操作者により操作されると、操作装置２０の内部で制御基板２１に実装された不図示のスイッチが押下られ、これによる操作信号をマイコン２２が検出する構成となっている。
【００３２】
蛍光表示管２６は、給湯装置の運転状態や操作設定状態等を表示するものであり、マイコン２２からの表示制御信号によって表示制御される。
【００３３】
表示部電源２７は、蛍光表示管２６に電力を供給するものであり、マイコン２２からの通電制御信号によって、蛍光表示管２６に電力を供給するか否かが設定される。マイコン２２からの通電制御信号は、通常の表示を行う場合は外気温度データに基づく情報には無関係に出力される。給湯運転が行われていない状態で、かつ操作装置の無操作状態が所定時間継続した場合に、通常表示モードから省電力モードに移行し、この省電力モードにある場合にのみ表示部電源２７が遮断され、外気温度データに基づく情報により通電制御信号が出力される。なお、省電力モード自体を備えていない制御構成の場合には、運転モードが運転オフモードにあるときに、表示部電源２７が遮断され、外気温度データに基づく情報により通電制御信号が出力される構成としてもよい。表示部電源２７はリモコンコード３０に接続されており、リモコンコード３０を介して給湯装置本体１０から操作装置２０に供給されるＤＣ１５Ｖに基づき、昇圧回路によって、例えばＤＣ４８Ｖに昇圧されて蛍光表示管２６に供給される。
【００３４】
なお、表示部電源２７から電源が供給されることで、蛍光表示管２６に電圧が印加されて発熱するが、電圧が印加されている状態であっても、マイコン２２から蛍光表示管２６に表示制御信号が入力されなければ表示は行われない。すなわち、低温検知時に蛍光表示管２６に電圧が印加されて発熱した場合でも、蛍光表示管２６には何も表示されず、ユーザーに対しては蛍光表示管２６の表示状態に何ら違和感を与えない。
【００３５】
また、操作装置２０の運転スイッチが押下される毎に、給湯装置の運転モードが、運転オンモードと運転オフモードに切り替えられ、運転オンモードと運転オフモードのいずれのモードであっても、省電力モードに移行したときに蛍光表示管２６への電力供給が遮断される。なお、省電力モード自体を備えていない制御構成の場合には、運転オフモードに移行したときに蛍光表示管２６への電力供給が遮断される。
【００３６】
図３は、外気温サーミスタ１６や雰囲気サーミスタ１７等の本体側温度検出手段の回路図を示している。サーミスタ３１は、コネクタ３２ならびにＡ／Ｄ入力ポート３３を介して給湯装置本体１０側のマイコン１２に接続されている。
【００３７】
図４を用いて、操作装置２０内部の最低動作保証温度の高い保護素子を保護する処理について説明する。保護素子としては、例えば、時計用の発振子２４が挙げられる。発振子２４の動作保証温度の下限値は、一例としてマイナス１０℃である。なお、本処理における蛍光表示管２６に電圧が印加される上限温度Ａは、発振子２４の特性のばらつきを考慮し余裕をもって設定される。ちなみに、マイコン２２の動作保証温度の下限値は、マイナス２０℃である。
【００３８】
図４に示す処理プログラムはメモリに格納され、マイコン２２により実行される。
【００３９】
まず、蛍光表示管２６の表示出力制御中（マイコン２２が表示制御信号を出力している）か否かを判断する（ステップ４０）。ステップ４０にて、表示出力制御中であれば何もせず終了し、表示出力制御中でない場合はステップ４１へ進み、蛍光表示管２６の電源がオフか否かを判断する。ステップ４１にて、蛍光表示管２６の電源がオフの場合、各サーミスタ１６，１７の検出値に基づく外気温度が、予めメモリに設定された蛍光表示管２６に電圧が印加される上限温度Ａ℃以下であるか否かを判断する（ステップ４２）。ステップ４２にて、外気温度が上限温度Ａ℃以下の場合、マイコン２２は表示部電源２７を介して蛍光表示管２６の電源をオンする（ステップ４３）。蛍光表示管２６の発熱により、発振子２４が低温から保護される。ステップ４２にて、外気温度が上限温度Ａ℃以下でない場合、蛍光表示管２６の電源はオフの状態で維持される。
【００４０】
ステップ４１にて、蛍光表示管２６の電源がオンの場合、各サーミスタ１６，１７の検出値に基づく外気温度が、予めメモリに設定された上限温度Ａ℃より２℃高い温度以上であるか否かを判断する（ステップ４４）。この２℃は、蛍光表示管２６の電源のオン・オフ動作が安定して実行されるために余裕を持って決定される。ステップ４４にて、外気温度が上限温度Ａ＋２℃以上の場合、蛍光表示管２６の電源をオフする（ステップ４５）。ステップ４４にて、外気温度が上限温度Ａ＋２℃以上でない場合、蛍光表示管２６の電源はオンの状態で維持される。
【００４１】
このように構成された給湯装置によると、外気温度が発振子２４の動作保証温度の下限値に近づくと、蛍光表示管２６の電源がオンされ、蛍光表示管２６の発熱によって操作装置２０内部の温度を管理し、発振子２４が最低動作保証温度以下になるのを防止できる。よって、給湯装置本体１０と操作装置２０が一体タイプの給湯装置を、寒冷地の屋外に設置した場合、操作装置２０に備えた時計用の発振子２４が生成する時計データに狂いが生じるのを防止でき、正確な時刻での予約運転が行える。
【００４２】
また、蛍光表示管２６の発熱によって操作装置２０内部の温度を上げることで、表示部の曇り止めが図れる。
【００４３】
さらに、給湯装置本体１０に既設の外気温サーミスタ１６や雰囲気サーミスタ１７等を、本体側温度検出手段として利用するので、新たなサーミスタを設置する必要がなく、安価である。
【００４４】
なお、外気温サーミスタ１６と雰囲気サーミスタ１７とを備えた給湯装置に限るものではなく、これらサーミスタ１６，１７のいずれかを備えた給湯装置や、これらサーミスタ１６，１７に代えて外気温度を推測できるその他のサーミスタを備えた給湯装置であってもよい。また、複数のサーミスタの検出値のＯＲ条件やＡＮＤ条件に基づいて素子保護動作を行ったり、素子保護動作を終了したりしてもよい。
【００４５】
また、素子保護動作のための電源制御においては、常時通電に限らず、断続通電等であってもよい。しかも、通常の電源供給時とは異なる電源供給方法を採用してもよく、例えば、通常時とは異なる電圧を供給してもよい。
【００４６】
さらに、保護すべき素子は、最低動作保証温度の高い保護素子に限らず、温度特性を有するものであればよく、例えば、半導体等が挙げられる。
【００４７】
本発明の他の実施の形態について、図５を用いて説明する。
【００４８】
図５は給湯装置の操作装置のブロック図を示している。
【００４９】
本実施の形態の給湯装置は、図５に示すように、最低動作保証温度の高い保護素子である時計用の発振子２４の近傍に、発熱により発振子２４を低温から保護する素子保護手段である蛍光表示管２６を配置したことを特徴とする。
【００５０】
なお、その他の給湯装置の全体構成は図１ないし図３に示した例と同様であり、また素子保護動作のフローチャートは図４に示した例と同様である。
【００５１】
このように構成された給湯装置によると、発振子２４の近傍に蛍光表示管２６を配置したので、より確実に発振子２４を低温より保護でき、給湯装置を正常に動作させることができる。
【００５２】
本発明の他の実施の形態の変形例について、図６および図７を用いて説明する。
【００５３】
図６は操作装置の素子保護回路図、図７は素子保護動作のフローチャートを示している。
【００５４】
この変形例は、素子保護手段が通電により発熱する発熱素子であって、発熱素子の電源制御を行うことで、最低動作保証温度の高い保護素子を低温から保護するものである。
【００５５】
図６において、保護素子となる発振子２４の周囲近傍の３箇所に、発熱素子となる抵抗６１を配置する。抵抗６１の電源は、マイコン２２により制御されている。すなわち、マイコン２２により制御されたトランジスタ６２のスイッチング作用により、各抵抗６１への通電をオン・オフする。
【００５６】
図７を用いて、発振子２４を保護する処理について説明する。
【００５７】
まず、各抵抗６１を含む回路への出力制御中（マイコン２２が制御信号を出力している）か否かを判断する（ステップ７０）。ステップ７０にて、出力制御中であれば何もせず終了し、出力制御中でない場合はステップ７１へ進み、各抵抗６１の電源がオフか否かを判断する。ステップ７１にて、各抵抗６１の電源がオフの場合、外気温度が予めメモリに設定された上限温度Ａ℃以下であるか否かを判断する（ステップ７２）。ステップ７２にて、上限温度Ａ℃以下の場合、マイコン２２は各抵抗６１の電源をオンし、通電により発熱させる（ステップ７３）。上限温度Ａ℃以下でない場合、各抵抗６１の電源はオフの状態で維持される。
【００５８】
ステップ７１にて、各抵抗６１の電源がオンの場合、外気温度が予めメモリに設定された上限温度Ａ℃より２℃高い温度以上であるか否かを判断する（ステップ７４）。ステップ７４にて、上限温度Ａ＋２℃以上の場合、各抵抗６１の電源をオフし、通電を解除する（ステップ７５）。上限温度Ａ＋２℃以上でない場合、各抵抗６１の電源はオンの状態で維持される。
【００５９】
このように構成された給湯装置によると、外気温度が発振子２４の動作保証温度の下限値に近づくと、最低動作保証温度の高い発振子２４の周囲に配置した発熱素子である各抵抗６１に通電することで、各抵抗６１の発熱によって発振子２４を低温から保護でき、給湯装置を正常に動作させることができる。
【００６０】
本発明のさらに他の実施の形態について、図８および図９を用いて説明する。
【００６１】
図８は給湯装置の操作装置の斜視図、図９は素子保護動作のフローチャートを示している。
【００６２】
本実施の形態は、操作装置２０内に設けられた操作側温度検出手段にて、操作装置２０内部の雰囲気温度を検出し、当該検出値に基づいて最低動作保証温度の高い発振子２４を低温から保護することを特徴とする。
【００６３】
なお、素子保護手段としては、蛍光表示管２６、抵抗等の発熱素子などが挙げられ、これら素子保護手段の発熱によって最低動作保証温度の高い発振子２４が低温から保護される。
【００６４】
図８は、操作側温度検出手段である温度センサ８１が、操作装置２０に内蔵されている様子を示している。温度センサ８１による操作装置２０内部の雰囲気温度である検出値は、操作装置２０のマイコン２２に入力される。
【００６５】
図９を用いて、発振子２４を保護する処理について説明する。
【００６６】
まず、素子保護動作を行う回路への出力制御中（マイコン２２が制御信号を出力している）か否かを判断する（ステップ９０）。ステップ９０にて、出力制御中であれば何もせず終了し、出力制御中でない場合はステップ９１へ進み、素子保護動作がオフか否かを判断する。ステップ９１にて、保護動作がオフの場合、温度センサ８１にて検出した操作装置２０の内部温度が、予めメモリに設定された上限温度Ａ℃以下であるか否かを判断する（ステップ９２）。上限温度Ａ℃以下の場合、素子保護動作をオンにし（ステップ９３）、上限温度Ａ℃以下でない場合、素子保護動作はオフの状態で維持される。
【００６７】
ステップ９１にて、素子保護動作がオンの場合、温度センサ８１にて検出した操作装置２０の内部温度が、予めメモリに設定された上限温度Ａ℃より２℃高い温度以上であるか否かを判断する（ステップ９４）。上限温度Ａ＋２℃以上の場合、素子保護動作をオフにし（ステップ９５）、上限温度Ａ＋２℃以上でない場合、素子保護動作はオンの状態で維持される。
【００６８】
このように構成された給湯装置によると、操作装置２０の内部温度が発振子２４の動作保証温度の下限値に近づくと、素子保護手段の発熱によって最低動作保証温度の高い発振子２４が低温から保護され、給湯装置を正常に動作させることができる。
【００６９】
なお、前記各実施の形態において、一体タイプの給湯装置に限定されるものではなく、操作装置２０が給湯装置本体１０と別体で通信接続され、かつ、屋外あるいは屋外に類する低温環境下に設置される形態の給湯装置にも適用できる。また、その通信接続の形態も有線である必要はなく、赤外線や電波などを用いたワイヤレス接続であってもよい。
【００７０】
また、操作装置２０が給湯装置本体１０に一体的に取付けられる場合、給湯装置が燃焼運転をすると、その燃焼熱により操作装置が間接的に暖められるので、本願の操作装置内の素子保護用電源制御が不要になることがある。したがって、そのような場合、給湯装置の燃焼運転中は、操作装置内の素子保護用電源制御の制御シーケンスを実行しないようにする制御構成とすることができる。すなわち、一般的に燃焼運転中には蛍光表示管の電源は遮断しないが、燃焼運転中に蛍光表示管の電源を遮断する場合があるような制御構成を備えた場合であって、かつ、燃焼運転の燃焼熱が外気温サーミスタなど本願の操作装置の電源制御用に用いられるサーミスタに伝わらない設置形態の場合であって、さらに操作装置には給湯装置の燃焼運転の燃焼熱が間接的に伝わるような設置形態の場合を前提とした制御構成である。
【００７１】
さらに、操作装置が、寒冷地の屋外あるいはそれに相当する低温環境下に設置されるか否かを、給湯装置あるいはその操作装置のマイコンが認識できるような設定入力手段（例えば、ディップスイッチやジャンパーを用いたマイコンへの入力）を備えている場合、操作装置が、寒冷地の屋外あるいはそれに相当する低温環境下に設置されていない旨の設定入力がなされている場合は、操作装置内の素子保護用電源制御の制御シーケンスを実行しないようにする制御構成とすることができる。
【００７２】
【発明の効果】
本発明によれば、寒冷地に設置される給湯装置の操作装置を低温環境下においても正常に動作させ、ひいてはその操作装置によって操作される給湯装置を正常に動作させることができるという効果が得られる。
【図面の簡単な説明】
【図１】本発明の一実施の形態における給湯装置の外観斜視図
【図２】本発明の一実施の形態における給湯装置のブロック図
【図３】本発明の一実施の形態における給湯装置の温度検出回路図
【図４】本発明の一実施の形態における給湯装置の素子保護動作のフローチャート
【図５】本発明の他の実施の形態における給湯装置の操作装置のブロック図
【図６】本発明の他の実施の形態の変形例における操作装置の素子保護回路図
【図７】本発明の他の実施の形態の変形例における給湯装置の素子保護動作のフローチャート
【図８】本発明のさらに他の実施の形態における給湯装置の操作装置の斜視図
【図９】本発明のさらに他の実施の形態における給湯装置の素子保護動作のフローチャート
【符号の説明】
１０  給湯装置本体
１６  外気温サーミスタ（本体側温度検出手段）
１７  雰囲気サーミスタ（本体側温度検出手段）
２０  操作装置
２４  発振子（保護素子）
２６  蛍光表示管（表示手段（素子保護手段））
６１  抵抗（発熱素子（素子保護手段））
８１  温度センサ（操作側温度検出手段）
【図１】
2004294007.tif 000003
【図２】
2004294007.tif 000004
【図３】
2004294007.tif 000005
【図４】
2004294007.tif 000006
【図５】
2004294007.tif 000007
【図６】
2004294007.tif 000008
【図７】
2004294007.tif 000009
【図８】
2004294007.tif 000010
【図９】
2004294007.tif 000011